(57)【要約】【課題】  情報機器への電源と通信回線の供給を可能とする、配線が容易な複合ボックスと、保全上と施工性に優れた複合ケーブルと、保守と管理が容易な集合ユニットを提供すること。【解決手段】  複数の電源と複数の通信回線とを情報機器に供給することを可能とする複合ボックス１と、外圧からの緩衝部２ｅを擁し高可とう性への変更が可能で電源ケーブルと複数の通信ケーブルを一体した複合ケーブル２と、前記複合ケーブル２と複数または単数の電源用コンセントとネットワーク用ハブを含む複数の通信用集合端子とこれら用の幹線ケーブルを収容し一元化した集合ユニット４と、前記複合ユニット４用の上部カバー５と、必要に応じて使用される下部カバー６と、前記複合ケーブル２の前記複合ボックス１へ及び前記複合ユニット４への可動的係合を可能にする固定具３と、前記複合ケーブル２または幹線ケーブルを固定用するケーブル固定具７とで構成する。【選択図】図１
2010097916.tif 000002
【特許請求の範囲】
【請求項１】
電源ノイズ対策を兼ねる外圧緩衝部を中央にして電源用ケーブルと複数の通信用ケーブルとを平行的にその両側に分離配置し、
前記電源用ケーブルと複数の通信用ケーブルの外周の被覆と前記外圧緩衝部とを同一の絶縁用被覆材をもって一体化に成形した情報機器用の複合ケーブル。
【請求項２】
上記の電源用ケーブルと複数の通信用ケーブルとの間に中空溝を作るべく上記外圧緩衝部の上下両肩部に切り離し用溝部を形成して該外圧緩衝部の部分的削除を可能にして高可とう性への形体変更を可能とする請求項１に記載の情報機器用の複合ケーブル。
【請求項３】
箱状に成形されたボックスに配した電源用と通信用の複数のコネクタと請求項１または２に記載した複合ケーブルを直接またはコネクタを用いて接合し複数の電源供給と複数の通信回線の接続を可能にした情報機器用の複合ボックス。
【請求項４】
請求項１または２に記載した複合ケーブルを可動的に係合する手段と吸着シートまたはマグネットまたは前記吸着シートとマグネット双方による吸着手段を備え下垂錘の収容を可能とする請求項３に記載の情報機器用の複合ボックス。
【請求項５】
係合する請求項１または２に記載した複合ケーブルの長さを違えて複数種類用意された請求項４に記載の情報機器用の複合ボックス。
【請求項６】
長さの異なる複数種類の請求項１または２に記載した複合ケーブルと、
短尺の複合ケーブルを係合した請求項４に記載の複合ボックスとのコネクタ式結合を可能とする情報機器用の複合ボックス。
【請求項７】
単数または複数の電源用コンセントを備え複数の通信用端子の収容部と請求項１または２に記載した複合ケーブルの着脱を自由とする係合部と電源用及び通信用幹線ケーブルの固定部とを擁する情報機器用の複合ユニット。
【請求項８】
前記複合ユニットはマグネットまたはネジによる固定手段を備えたベースと上記した全てのケーブルの収容を妨げない形状の上部用カバーまたは上部用カバー及び下部用カバーとで構成される請求項７に記載の情報機器用の複合ユニット。
【請求項９】
単数用及び複数用のケーブルの係合を可能とするケーブル用係止部とマグネットまたはネジのいずれでも可能な被固定体への係止部を備え、
請求項１または２に記載の複合ケーブルの固定及び請求項７に記載の複合ユニット内の電源用及び通信用幹線ケーブルの固定を目的とするケーブル用固定具。
【発明の詳細な説明】
【技術分野】
【０００１】  本発明は、オフィス内で使用される情報機器への電源の供給及び通信回線への接続に係るケーブル及び接続用機器に関するものである。
【背景技術】
【０００２】  近年、情報の多様化に伴い各種のオフィスではネットワークに接続されたパソコンを用いての作業の必要性が増え、多くの場合事務用デスク（以下デスクとしてのべる）には情報機器としてパソコンと電話機が個々に配置されている。またＦＡＸとプリンター機能を備えた複合機も多く用いられ、それら情報機器には電源の供給と通信回線への接続が必要とされるので、用途に応じた複数のケーブルを個々のデスクや複合機に配線する必要がある。【０００３】  そこで工事業者がケーブルを敷設することになるが、デスクが集合的に配置されている場合、従来の上記情報機器へのケーブルの配線方法はデスクやキャビネットの上や側面、或いは床上に別々に配置されたＯＡタップやコンセント、ネットワーク用ハブ（以下ハブとしてのべる）、電話用集合端子等に用途毎のケーブルを個々のデスクに配線する個別配線方法である。またパソコン用電源以外にも携帯電話用充電機用の電源等も要求される場合もありデスク上や周辺に更なる電源コンセントを用意する必要が生じる場合もある。よって集合されたデスクやキャビネット間には多数のケーブルが枝状に敷設されることとなる。「図１９」はその様子を示したものであるが、実際には「図１９」を上回る数のデスクが対状にも配置されることが多く、敷設されているケーブル数はこれを遥かに上回る数となっている。このことは床上のことなのでＯＡフロアーやケーブル用配管が用意されていても同様である。【０００４】  上記したように、枝状に敷設された多数のケーブルはデスクやキャビネット間或いは床上に別々に配置された電源コンセント、ハブ、電話用集合端子等の其々に向かうことになるが、これら全てのケーブルを固定するのは難儀でありケーブルの多くは下垂状態や未固定のまま床上に敷設されることが多い。よってこれらのケーブルが互いに複雑に絡み合って目的のケーブルを特定することも引き出すことも困難な状態になっていることも稀ではない。【０００５】  また通信用ケーブルの多くは細く被覆が弱くユーザーによってのデスクやキャビネット等の移動があった場合には、これらに挟まれ踏まれて潰された状態になることもある。しかしケーブル自体が変形してしまいガタつきがあまり感じられないことから前記の状態なっていてもユーザーが気付かないまま放置されことが多い。そしてこれが要因となり故障となることもあるし、情報機器が移設された場合には供給用端子が離れているのでケーブル長不足になることもありこれを補うため強く引っ張られたケーブルのコネクタ接続部に曲げ負担がかかり障害が起きることもある。【０００６】  デスク或いは複合機が少し離れて配置されていることもあるが、この場合も電源用と通信用ケーブルは別々に配線される。ＯＡフロアーや配管が用意されている場合を除き露出配線となるが、ケーブル種も供給源も異なるケーブルは多くの場合直角的な曲りを含めた大型の配線カバーや複数の配線カバーを以て床上に敷設されている。しかし上記同様ユーザーによってデスクまたは複合機が移動されると、色も長も太さも異なる複数のケーブルがむき出しの状態で放置される場合や、複数の配線カバーに挟まれた状態で取り出されることになる。まして電源用とネットワーク用と電��用ケーブルが其々別方向から敷設された場合はより顕著な状態となるので、美観上好ましくないしこれが故障の要因となることも多くある。【０００７】  ユーザーよりパソコンや電話機の増設或いは移設を要望されると電源用と通信機器用のケーブルの新設工事或いは移設工事をすることになるが、上記した従来の個別配線方式にて行なわれる場合、電源用コンセントとハブと電話用集合端子はデスクやキャビネット間や床上に別々に配置され、上記したように枝状の多数のケーブルは互いに絡み合っていることが多いので、幾つものデスクやキャビネット等を大きく移動しての工事を余儀されることになるし、限られた場所内でケーブル敷設を其々の業者が行うので順番待ち状態になることもあり工事業者が多くの手間や時間を費やしていることも稀ではない。【０００８】  また、これらのデスクやキャビネット等の大幅な配置変更もあると、電源用コンセントとハブと電話用集合端子も移動され再びそれぞれ配置されることになるが、本来再使用されるべき情報機器への通信用ケーブルは、上記したように変形や傷が生じていている場合やハブと電話用端子が離れた位置にある為ケーブル長が足りず再使用出来ず廃棄されることもある。このようなケーブル廃棄が多くのオフィスに於いて移設工事の度になされることは、図らずとも産業廃棄物を作り出しているとも言える。【０００９】  以上のことから鑑みるに、従来のオフィス内に於ける情報機器への個別配線方式は最良の手段とは言えないし、電源用コンセントとハブと電話用集合端子等が工事や保守等の作業が困難な位置に別々に配置されていることも最適な方法とは言えない。これらを解決するにはオフィス内における個々のデスクの情報機器や複合機への電源用と通信用ケーブルの個別配線方式と、電源用コンセントとハブと電話用集合端子の配置状況を改めることにあると思われる。そこで電源ケーブルと複数の通信用ケーブルを一本化した構造でこれに外圧緩衝対策と可とう性を加えた複合ケーブルと、デスク上の情報機器または複合機への電源と通信回線の供給を容易にする機器と、電源用コンセントとハブと電話用集合端子の集合化を可能とする集合端子箱を提供して情報機器に係るケーブルと電源と通信回線の供給用機器の問題点を解決する手段を講じることが有効であると考えられる。【００１０】  そして上記した複合ケーブルとしては、電源ケーブルと通信用ケーブルを一体化した例（特許文献１）があり、この複合ケーブルは電源線と電話線と同軸線を平行に配置し一体化した複合ケーブルであり、一方の先端にはＯＡタップとした電源用と電話用コンセントと同軸用コンセントを設けてありもう一方には電源用と電話用コンセントと同軸用コンセントを分配式に設けてある。【００１１】  この特許文献１の複合ケーブルは文献上には記載されてはいないが同軸線及び同軸用コンセントをネットワークケーブル及びネットワーク用コンセントに変更できる構造になっている。しかしながら例えばこの複合ケーブルを前記のように線種及びコネクタを変更したとしても個別配線方式を改めるには有効ではあるが、住宅用に提案されている故にデスクやキャビネット等に挟まれての変形や脚部に潰されての故障発生の要因を減ずる対策はとられて���いないし、デスク上で要求される複数の電源コンセントの用意という条件も満たされてはいない。また電源用コンセントと電話用集合端子とハブを集合配置する手段も採られていない。【００１２】  この他、同軸ケーブル用分配器、ペアケーブル用コネクタ、ＵＴＰケーブル用ハブを収容し使用形態の異なる複数種のケーブルをまとめた複合ケーブルを接続する分岐配線ユニットが提案されている（特許文献２）。この特許文献２の分岐配線ユニットは接続設定でケーブル及び端子の種類を予め決めることが出来るし、使用形態の異なる複数種のケーブルまとめた複合ケーブルと記載されている。よって前記同軸ケーブル用分配器を電源用コンセントに変更するとこれに係るケーブルも必然的に電源ケーブルに変ることになるので、この分岐配線ユニットに電源用コンセントと電話用集合端子とハブを集合させることも可能である。【００１３】  しかし、上記した複数種のケーブルをまとめた複合ケーブルの形状及び先端の形態は開示されていないが、主に宅内用としての提案であることから、前に述べたオフィス内のデスクやキャビネット等に挟まれての変形や脚部に潰されての故障発生の要因を減ずる対策や、先端にデスク上で要求される複数の電源コンセントの用意もないことが察せられる。またこの分岐配線ユニットの固定方法も定義されていないが、前記同様にオフィス内の集合されたデスクやキャビネットに固定する手段を有するとは記載されていない。また接続される前記複数種のケーブルをまとめた複合ケーブルの着脱を可能にする係合部が用意されておらず、デスクの移動や情報機器の移動が想定されるオフィスに於いてはケーブルの着脱が要求されるので、これらを合わせると幾つかの問題点があることを否定できない。【００１４】
【特許文献１】  特開２０００−３０８０９号広報
【特許文献２】  特開２００２−２１７７９５号広報
【発明の開示】
【発明が解決しようとする課題】
【００１５】  本発明は、以上に述べたオフィス内のデスク上の情報機器や複合機への従来の複数配線方法の問題点を解決すべく、外圧保護対策と可とう性を高める手段を有し電源用とネットワーク用と電話用のケーブルをまとめ一体化した複合ケーブルと、デスク等への固定手段を擁し複数の電源用とネットワーク用と電話用のコネクタを備えた集合ボックスの提供と、前記複合ボックス及び前記複合ケーブルの供給源である電源コンセントとハブと電話用集合端子の一元化を可能にする複合ユニットと、前記複合ケーブルの固定具を準備し、必要に応じて提供出来るようにすることを課題とするものである。
【問題を解決するための手段】
【００１６】  本発明の１は電源ノイズ対策を兼ねる外圧緩衝部を中央にして電源用ケーブルと複数の通信用ケーブルとを平行的にその両側に分離配置し、
前記電源用ケーブルと複数の通信用ケーブルの外周の被覆と前記外圧緩衝部とを同一の絶縁用被覆材をもって一体化に成形した情報機器用の複合ケーブルである。
【００１７】  本発明の２は上記の電源用ケーブルと複数の通信用ケーブルとの間に中空溝を作るべく上記外圧緩衝部の上下両肩部に切り離し用溝部を形成して該外圧緩衝部の部分的削除を可能にして高可とう性への形体変更を可能とする請求項１に記載の情報機器用の複合ケーブルである。
【００１８】  本発明の３は箱状に成形されたボックスに配した電源用と通信用の複数のコネクタと請求項１または２に記載した複合ケーブルを直接またはコネクタを用いて接合し複数の電源供給と複数の通信回線の接続を可能にした情報機器用の複合ボックスである。
【００１９】  本発明の４は請求項１または２に記載した複合ケーブルを可動的に係合する手段と吸着シートまたはマグネットまたは前記吸着シートとマグネット双方による吸着手段を備え下垂錘の収容を可能とする請求項３に記載の情報機器用の複合ボックスである。
【００２０】  本発明の５は係合する請求項１または２に記載した複合ケーブルの長さを違えて複数種類用意された請求項４に記載の情報機器用の複合ボックスである。
【００２１】  本発明の６は長さの異なる複数種類の請求項１または２に記載した複合ケーブルと短尺の請求項１または２に記載した複合ケーブルを係合した請求項４に記載の複合ボックスとのコネクタ式結合を可能とする情報機器用の複合ボックスである。
【００２２】  本発明の７は単数または複数の電源用コンセントを備え複数の通信用端子の収容部と請求項１または２に記載した複合ケーブルの着脱を自由とする係合部と電源用及び通信用幹線ケーブルの固定部とを擁する情報機器用の複合ユニットである。
【００２３】  本発明の８は前記複合ユニットはマグネットまたはネジによる固定手段を備えたベースと上記した全てのケーブルの収容を妨げない形状の上部用カバーまたは上部用カバー及び下部用カバーとで構成される請求項７に記載の情報機器用の複合ユニットである。
【００２４】  本発明の９は単数用及び複数用のケーブルの係合を可能とするケーブル用係止部とマグネットまたはネジのいずれでも可能な被固定体への係止部を備え、
請求項１または２に記載の複合ケーブルの固定及び請求項７に記載の複合ユニット内の電源用及び通信用幹線ケーブルの固定を目的とするケーブル用固定具である。
【発明の効果】
【００２５】  本発明の１の複合ケーブルによれば、電源用ケーブルと複数の通信用ケーブルを一本にまとめた複合ケーブルであり、外圧の緩衝対策及び共存するケーブル同士の電源ノイズの軽減措置を講じてあるので、オフィス内の集合的に配置されたデスクやキャビネット間に敷設しても故障になる要因も排除されているし、静電誘導電流による影響も少ないので、オフィス内のデスク上の情報機器または複合機に要求される電源の供給と複数の通信用回線への接続が単数のケーブルによって行うことが出来る。
【００２６】  本発明の２の複合ケーブルによれば、電源用ケーブルと複数の通信用ケーブルを一本にまとめた複合ケーブルであり可とう性を高めることが可能な構造であることから、単独に配置されたデスクや複合機用に露出的に敷設されても、上記本発明の１に記載したように外圧からの保護対策を講じた単一ケーブルで直角的な曲りにも対応できるので、小型のケーブルカバーでも支障なく敷設できる。よってユーザーによりこのデスクや複合機が多少移動されても故障の危惧も美観を損ねることも少ない。
【００２７】  本発明の３の複合ボックスによれば、複数の電源コンセトとネットワーク用コンセントと電話用コンセントを用意することが出来るので、該複合ボックスを個々のデスクや複合機周辺に配置すれば、情報機器への電源供給と通信回線の接続は互いが僅かな距離にあるので短ケーブルにて容易に行うことが出来る。
【００２８】  この複合ボックスへの供給用ケーブルは本発明の１または２の複合ケーブルであるので、必然的に電源コンセントとハブ及び電話用端子も集合的に配置され、敷設されるケーブルは少数で同じ方向となるので、ケーブル同士が絡まることや上記した該複合ケーブルの構造によって外圧によって損傷する虞もない。よって情報機器の移動や撤去或いは増設工事等は容易であるし、ケーブルを廃棄せざるを得ない要因も生まれてこない。
【００２９】  本発明の４の複合ボックスによれば、固定手段が複数用意されているので、オフィス内のデスク或いはキャビネットがスチール製の場合はマグネット式のものを選択しその上部や側部の望む位置に着脱自由に固定することが出来るし、木製の場合は吸着シート式のものを選択すれば固定することが出来る。また底部に下垂錘を取り付けるスペースが用意されているのでこれを付け加え固定力を増すことも可能である。そして係合した複合ケーブルが可動式に固定されているので敷設方向が水平でも下方であっても該複合ケーブルの曲がり負担は軽微であるので臨む方向に敷設することが出来る。
【００３０】  本発明の５の複合ボックスによれば、デスク上の情報機器または複合機が配置された位置により、電源と通信回線の供給源である電源コンセントやハブ及び電話用端子との距離は其々異なるが、複数種の係合する複合ケーブル長の異なる複合ボックスが用意されているので、最適長の複合ケーブルを係合する複合ボックスを選択することが出来る。
【００３１】  本発明の６の複合ボックスによれば、複合ボックスと複合ケーブルが互いの係合手段をコネクタ式にして分かれているし、前記複合ボックスに係合する複合ケーブルが短いのでデスクへのセットが容易であり、長さの異なる複合ケーブルが複数種用意されているので、設置時の適合ケーブルの選択も接続も容易であるし、もし情報機器や複合機の配置が変わっても適合す長さの係合用複合ケーブルに変えるだけで良い。
【００３２】  本発明の７の複合ユニットによれば、複数の電源用コンセントとハブと電話用集合端子の集合的配置と、これ等に係る幹線ケーブルの収容と、上記複合ボックスへの供給用である本発明の１または２に記載した複合ケーブルを複数係合することが可能であるので、デスク上の情報機器または複合機等への電源の供給と通信回線の接続に係るケーブル及び機器の一体化を図ることが出来る。
【００３３】  本発明の８の複合ユニットによれば、該複合ユニットを最端のデスクやキャビネット側面等にマグネットにより固定することが出来るので、工事や保守管理を容易にすることが出来るし、カバーが用意されているので人や物が接続部に直接触れる虞も無い。また設置する状況によっては壁面への固定も可能である。
【００３４】  そして上記複合ケーブルは該複合ボックスに着脱自由に係合されコネクタによって結合されているので、撤去或いは増設等の工事においてネットワーク工事者或いは電話工事者の何れの工事者であっても短時間で行うことが出来るし、接続に関する工事も容易であるので、該複合ユニットの大幅な移動がない限り電気工事をする必要も無く工事費用の削減を図ることができる。
【００３５】  本発明の９のケーブル用固定具によれば、本発明の３または４の複合ボックスがデスク上に配置されると必然的に本発明の１または２の複合ケーブルも敷設されるが、該ケーブル用固定具は前記複合ケーブルに適応させて成形されておりマグネットによる固定手段を備えているので、例え複数のケーブルであっても同一ライン上に美観を損ねず固定することが出来る。
【００３６】  また該ケーブル用固定具は上記のマグネットによる固定手段に加えネジにても固定することが出来るし上記複合ケーブル以外でも固定出来るので、該ケーブル用固定具を本発明の５の複合ユニット内の幹線用ケーブルの導入部付近にネジによって固定配置し複数の前記幹線用ケーブルの固定具としても用いることが出来る。
【発明を実施するための最良の形態】
【００３７】  本発明を実施するための最良の形態を図面を参照しながら実施例に基づいて具体的に説明する。
【実施例１】
【００３８】  実施例１の情報機器用配線システムは、図２（ａ）、（ｂ）、（ｃ）に示す複合ボックス１と、図３（ａ）、（ｂ）、（ｃ）に示す複合ケーブル２とで構成され、図５（ａ）、（ｂ）に示す形態の複合ケーブルを従えた複合ボックスもってなされるものである。【００３９】  図２（ａ）、（ｂ）に示すように前記複合ボックス１の側面１ｂにはパソコンの電源供給用としてアース付きコンセト１ｇを２つと、ネットワーク接続用としてのＬＡＮ用ジャック１ｋを備え、もう一方の側面１ｂ１には電話用ジャック１ｊと一般用コンセント１ｈを備えているので、複合ボックス１をデスク上に或いは複合機周辺に配置すれば、パソコン本体とディスプレーへの電源供給と携帯用充電器等の一般器具への電源供給が出来るし、ネットワークへの接続と電話機回線への接続が短ケーブルによって容易に接続することが出来る。また複合機の場合でも電源の供給、ネットワークやＦＡＸ回線への接続も出来る。そして電話用ケーブルもＬＡＮケーブルであるので例えば電話機がＩＰ電話機の場合でも電話用ジャック１ｊをＬＡＮ用ジャックに変えることだけで対応させることが出来る。【００４０】  上記複合ケーブル２は、図３（ａ）に示すように絶縁材を用いた絶縁被覆部２ｄをもって一体化して成形されているが、電源ケーブルと通信用ケーブルとが共存することからケーブル同士のノイズ対策として、通信用ケーブルはネットワーク用ケーブル２ｃと電話用ケーブル２ｂを同じフラット型ＬＡＮケーブルをもって二層状に集約し電源ケーブル２ａとは外圧緩衝部２ｅを隔て配置してある。そしてフラット型ＬＡＮケーブルを２本使用するのは上記したように電話機がＩＰ電話機になってもコネクタの変更のみで対応することが出来るよう配慮してのことであり、左右対称にしたのは下記に説明する直角的曲りへの対応と該複合ケーブル２への固定具３の取付けを容易にする為である。【００４１】  この複合ケーブル２がケーブルカバーＫ等を用いて配線される時に直角的な曲りを要求されことがある。この対策として図３（ａ）、（ｂ）、（ｃ）に示すように、この絶縁部の両側には切り離し用溝部２ｆ、２ｆ１を形成してあるので、前記切り離し用溝部２ｆ、２ｆ１間を両方とも縦方向に切断すれば外圧緩衝部２ｅを部分的に削除し中空溝２ｇを作ることによって可とう性を高めることが出来るし、上記したようにこの複合ケーブル２が左右対称であるので曲げ方向に関わらずケーブルカバーＫ内に敷設することが出来る。【００４２】  上記複合ボックス１と上記複合ケーブル２との係合は、上記固定具３をもって行われるので、まず固定具３と複合ケーブル２との係合について説明する。図４（ａ）は固定具３の斜視図であるが、図に示す３ｆは下記に説明する複合ボックス１に設けられた連結用軸の収容部３ｆであり、３ｅはその収容用のバネ部３ｅであり、ケーブル押さえ板３ａと係止用突起部３ｂと保持用凹部３ｃとネジ用孔３ｄとケーブル収容部３ｆと固定板３ｇは複合ケーブル２の収容と固定に係るものである。【００４３】  複合ケーブル２のケーブル固定具３への固定に至る過程について説明すると、縦方向への固定は複合ケーブル２を固定具３のケーブル押さえ板３ａと固定板３ｇ間との開口部を経て収容部３ｆに置いた後、ケーブル押さえ板３ａを閉じて行うが、係止用突起部３ｂは丸みをおびたテーパー状に成形されているので弾力性を有する固定板３ｇの保持用凹部３ｃに悠々確保することが出来る。また横方向への固定は図４（ｂ）、（ｃ）に示すように、縦方向への固定後にネジ用孔３ｄからネジ３ｈを上記外圧緩衝部２ｅにねじ込こみ固定するが、先に述べたように複合ケーブル２は左右対称に成形されているので固定具３を望む方向、望む位置に固定することが出来る。【００４４】  上記複合ボックス１には図２（ａ）、（ｂ）に示すように円筒状の連結用軸１ｄが軸受け部１ｅによって支持固定され配置されており、前記固定具３には図４（ａ）に示すように前記連結用軸１ｄよりわずかに広がる半円筒状の連結用軸の収容部３ｆと、前記連結用軸よりわずかに狭くし頂上部より弓状の広がりをもって成形された連結用軸の収容用のバネ部３ｅが形成されている。この形状を以て該連結用軸１ｄに固定具３の前記バネ部３ｅの開口部にあてがい横方向に移動させると前記バネ部３ｅは弾性により広がり該連結用軸１ｄを収容部３ｆ内に収容することが出来る。この後取り外しの場合を除いて固定具３に加わる力は外方向であるし前記バネ部３ｅが楯となるので容易に外れることはない。【００４５】  図６（ａ）とその断面図（ｂ）に示すように、前記複合ボックス１の軸受け部１ｅに支持固定された連結用軸１ｄは前記固定具３のバネ部３ｅ奥の連結軸１ｄよりわずかに広がりをもつ半円筒状の収容部３ｆ内に包み込むように収容されている。この構造をもって該固定具３とこれに固定された複合ケーブル２は連結用軸１ｄに沿って左右どちらでも移動させることが出来るし水平方向にも下方向にも向けることが出来るという可動性を有することになる。よって該複合ボックス１がデスクＪ上に配置された場合にケーブル通線口が無い場合は図６（ｃ）に示すように平行に、またケーブル通線口が有る場合には図６（ｄ）が示すように下方向にと、デスクＪの形状に合わせることが出来るので該複合ケーブル２に曲げ負担を掛けることなく敷設することが可能となる。【００４６】  従ってこの実施例１の情報用配線システムによれば、オフィス内のデスクや複合機に要求される情報機器や一般器具への電源供給と複数の情報通信回線への接続が、複合ボックス１をもってすれば単独にて全て用意することが出来るし、この複合ボックス１への供給源は外圧対策、曲げ負担対策、ケーブル間のノイズ対策等敷設上障害となる要因を排除する手段が採られた一本の複合ケーブル２であるので、工事をスピーディーに行うことが出来るし敷設後のケーブル障害の虞も少ない。【００４７】  この実施例１の情報用配線システムは、以下のように用いる。
パソコンや電話機等の情報機器の多くはデスク上に配置されているので、主に該複合ボックス１をデスク上にセットした例をもって説明する。図２（ｃ）に示すように、複合ボックス１は下部に固定用マグネット１ｆを取着しているのでスチール製のデスクやキャビネット或いは複合機周辺の望む位置に固定することが可能であり、下垂錘１ｃを装着する用意もあるので該複合ボックス１の固定力を増すことも出来る。またデスク等が木製等である場合は吸着シートによる固定手段も用意されており被固定体を選ぶ必要性は無い。【００４８】  図２（ａ）、（ｂ）に示す該複合ボックス１をデスク上に配置すると、図７に示すように、電話機Ｃ、携帯電話用充電器Ｂ、パソコンＤ、及びディスプレーＥとは互いに目視出来る位置に配置されていることになるので、パソコンＤ、及びディスプレーＥの電源コード２８をアース付コンセント１ｇにと携帯電話用充電器Ｂを一般用コンセント１ｈに接続して電源供給を行い、そしてＬＡＮケーブル２３をＬＡＮ用ジャック１ｉに、電話用コード２４を電話用ジャック１ｊに単ケーブルをもって其々に差し込めば良いので電源の供給も通信回線の接続も容易な作業でできることになる。【００４９】  他方、複合ケーブル２は前記複合ボックス１が固定されたデスクより電源用コンセントやハブや電話用集合端子に向かって敷設されることになるが、上記したように複合ケーブル２は複合ボックス１に可動的に係合されているので、図６（ｃ）に示すよう天板越えでも、図６（ｄ）に示すようにデスク内部を通す方法でも曲がり負担を掛けることなく配線することが出来るし、デスク数と同じ本数のみ敷設されるので互いが絡み合うことも無い。また、該複合ケーブル２には外圧緩衝部２ｅが設けられているので例えデスクやキャビネットに挟まれ踏まれても内部のケーブルに直接負担がかかる事も無いし、高さで前記デスクやキャビネットにガタつきが生じるのでまま放置されることも無い。【００５０】  よって図５（ａ）、（ｂ）が示すように、該複合ケーブル２の先端には電源用プラグ２ｊとＬＡＮ用プラグ２ｋと電話用プラグ２ｌが配置されており其々を該当する端子に接続させることが出来る。また該複合ケーブル２が複合機から敷設される場合は露出配線等にはなるが接続に関しては上記と同様である。【００５１】  上記複合ケーブル２の上記複合ボックス１への係合は直接式でも良いし、コネクタ式の係合法式でも良い。これはデスクまたは複合機の位置はそれぞれ異なり前記複合ケーブルの長さも違える必要性もあるので、その対応手段として直接式の場合は係合する上記複合ケーブル２の長さの異なる複数種の上記複合ボックス１を用意すれば必要とする敷設長にあわせた選択ができるし、コネクタ式の場合は上記複合ボックス１に適度な長さの前記複合ケーブル２を係合し、複数種の長さの異なる係合用複合ケーブルを別に用意することで、長さを選択して係合することが出来るので最適な長さの複合ケーブルを係合する複合ボックスにすることが出来きるし、この方法はたとえデスク間で情報機器の移動があっても前記係合用複合ケーブルを変えるだけで済む利点がある。【００５２】  また複合ボックス１には図２（ａ），（ｂ）に示す天板１ａが存在する。こ��天板１ａのサイズは携帯電話用充電器Ｂの置き台としての使用を意図し、一般的携帯電話の充電器よりやや大きめに設計成形してあるので、図７に示すようにデスク上に固定された複合ボックス１上に携帯電話用充電器Ｂをセットすれば、一般用コンセントが真下に用意されているので、デスク上のスペースを塞ぐ事も無く都合のよい場所に置けることになる。【００５３】  尚、図３（ａ）に示す複合ケーブル２における電源ケーブル２ａのシールド部２ｈは、情報機器の静電気及び漏電対策用として図２（ａ）に示す複合ボックス１におけるアース付コンセント１ｇのアース用として用意したものであるので、必ずしもシールド式でなく例えばアース線を用いる等の他の方法でも良い。また複合ボックス１の形状も、図２（ａ）、（ｂ）に示す形状ではなく、コンセント類と通信用ジャック類全てを同一面に配置してタップ式にしても良いし、デスクへの埋め込み方式にしても良い。
【実施例２】
【００５４】  実施例２の情報用配線システムは、実施例１を採用し、加えて図８に示す複合ユニットのベース４（以下複合ユニットとしてのべる）と、図１６（ａ）、（ｂ）に示す前記複合ユニット４用の上部カバー５と、図１４に示す下部カバー６と、図９に示すケーブル固定具７の幾つか、或いはすべてを採用したものであり、これ以外の点は全て実施例１と同様であるので以下には実施例１と異なる部分についてのみ記載し、重なる部分は説明の都合上必要な場合を除いて説明しない。また下記に述べる前記複合ユニット４内のハブと電話用集合端子は、既定品として初実装の必要性はなく後から同等品を採用しても良いが、説明の都合上実装されているものとして説明する。【００５５】  まず複合ユニット４と上部カバー５と下部カバー６を用いた例を説明する。８（ａ）に示すように、上記複合ユニット４にはハブＧと電話用集合端子Ｈが配置されるので、該複合ユニット４をスチール製にしてマグネットによる吸着方式のハブと電話用集合端子を採用すれば自由に配置出来るようにしてある。また電源用コンセント及び図９（ａ）に示すケーブル固定具７は安全性を考慮してネジによる固定方式を採用してある。【００５６】  そしてそれらへの供給源となるＬＡＮ用幹線ケーブル２３、電話用幹線ケーブル２２、電源用幹線ケーブル２７は床面方向から配線され、上記ケーブル固定具７に固定されている。この固定手段は図１０（ｃ）に示すように結束用バンド等で行ってもよいが、図８（ａ）に表示具を備えた固定具Ａにて示したのは幹線ケーブルでありその供給源を表示し後の保守管理を容易にする配慮からである。また電源用コンセントＬを２つ用意し、かつ電源用幹線ケーブルを別にしたのは各複合ボックスにて使用される最大消費電力を考慮してのことであるので、必要性に応じたケーブル数を敷設すれば良い。【００５７】  そして図８（ａ）に示すように、上記ケーブル固定具７に固定された上記各幹線ケーブルを上記ハブＧと電話用集合端子Ｈと電源用コンセントＬの其々に接合することによって、該複合ユニット４は実施例１にて説明した複数の複合ケーブル２への電源の供給元と通信回線の接続元の一元化を図ることが出来る。【００５８】  この複合ユニット４の被固定体への取り付は、図８（ｂ）に示すように該複合ユニット４の裏面に固定用マグネット４ｈを複数配置してあるので、図１に示すようにスチール製のデスクやキャビネットの側面に固定出来るし、固定先が壁面の場合には前記固定用マグネット４ｈが固定ネジ４ｉによって固定されているので、これらを取り外しこの孔を利用して他の固定手段によって固定することも出来る。【００５９】  上記工程により固定された複合ユニット４への複合ケーブル２の係合について説明する。まず図１１（ａ）に示すように既に複合ボックス１に係合された複合ケーブル２のプラグ側にも固定具３を取付けて下記に説明する手段によって上記複合ユニット４に係合させるが、前記複合ケーブル２への前記固定具３の固定手段は実施例１でと同じなので説明を省略する。【００６０】  一方複合ユニット４には図８に示すように、ネジにより固定され上下対をなした軸固定部４ｅによって固定された固定具連結用軸４ｄが左右対称的に配置���てある。これは複合ケーブル２の導入方向を選択できるようにして、該複合ユニット４のデスクやキャビネットの側面への配置が左右の既定無く出来るように配慮したものであるので一方は該軸固定部４ｅの固定ネジ用孔だけでも良い。【００６１】  図１１（ｂ）、（ｃ）に示すように、上記複合ケーブル２は固定具連結用軸４ｄの何れかに該固定具３をもって係合されるが、この係合についての詳細な説明は実施例１で説明した複合ボックス１への固定具３の係合手段と同じであるので省略するが、この係合手段は撤去工事をも踏まえて該固定具３を内側に向かい横方にスライドさせればバネ部３ｅが広がり容易に撤去できるよう配慮してあるし、実施例１にて述べたように内部の電源用ケーブルや通信用ケーブルに直接曲げ負担や引っ張り負担がかかる事も無い。【００６２】  複合ケーブル２はこのようにして複合ユニット４に係合されるが、図１２に示すように、該複合ケーブル２から分離された電源ケーブル２ａと、電話用ケーブル２ｂと、ＬＡＮ用ケーブル２ｃは、該複合ユニット４に複数配置されたケーブルサドル２６に用途別に収容され、先端に配置された電源用プラグ２ｊを電源用コンセントＬに、電話用プラグ２ｍを電話用集合端子Ｈに、ＬＡＮ用プラグ２ｋをハブＧに其々接続することで、デスク上或いは複合機周辺に配置された複合ボックス１に電源と通信回の供給を行うことが出来るし、プラグやコンセントとの接続部に曲げ負担がかかる事も無い。【００６３】  先に説明したように複合ユニット４への複数の幹線ケーブルの収容は床方面からなされるが、該複合ユニットが多少移動される場合があることを想定すると、前記幹線ケーブルに余長を持たせる必要があるので、図１３に示すようにケーブル固定具７下にスペースを用意し余長部を結束バンド２５等によって束ね収容出来るようにしてある。【００６４】  そして図１５が示すように該複合ユニット４の上部側にはハブＧと電話用集合端子Ｈと電源用コンセントＬが２つ配置され、下部側には上記した各幹線ケーブルの余長部が結束バンド等２５によって束ねられ収容されている。しかし前記各幹線ケーブルの束ねられた余長部は押し込められるように収容されることが予想され、この部分に係わりのない作業でもその度に該余長部を再収用するのは手数が掛かる作業となるのは明らかである。そこで図１４に示すように、縦方向が前記下部側のみを囲う長さでコの字状に成形した下部カバー６を用意し、移設工事、増設工事、メンテナンス等が下部側への関わりを持つことなく行えるようにしてあるので工事の簡略化を図ることが出来る。【００６５】  上記下部カバー６は上記複合ユニット４に用意された支柱ネジ４ｃに固定用ネジ６ｂによって固定されるが、上記の各幹線ケーブルはケーブルカバーＫ等によって床面上より敷設され上記下部カバー６はその上に配置されることになるが該ケーブルカバーＫ等の高さは指定できない。そこで図１４が示すように前記下部カバー６に前記複合ユニット４への係合用孔６ａを縦長に成形して上下移動を自由にし、下方側を透図にして表した図１５が示すように、該下部カバー６はケーブルカバーＫ等を押さえつけることなく悠々固定できるようにしてある。【００６６】  図８（ｂ）に示す���うに上記複合ユニット４の裏面の複数の固定用マグネット４ｈは固定ネジ４ｉによって固定されているので、前記複合ユニット４部に該固定用マグネット４ｈの外側両側部に添うように配置された枠部４ｆによって回転を防いでいる。この枠部４ｆは前記複合ユニット４と同じ長さで形成されており、図１６（ｂ）が示すように該複合ユニット４が固定された場合は該枠部４ｆがその固定面と直角方向に接するので図８（ｃ）に示すように前記固定面と前記複合ユニットとの間には中空枠４ｂが形成される。【００６７】  図１６（ａ）に示すように、上部カバー５はその側面５ｃには複合ユニット４への複合ケーブル２の係合を妨げない高さと幅をもったケーブル導入口５ｄと、その上部面５ｅには前記複合ユニット４への係合用突起部５ａと、正面には固定ネジ用孔５ｂが其々２つずつ形成され、内面を上記複合ユニット４より僅かに大きくして成形されている。【００６８】  該複合ユニット４が先に述べた工程をえて固定された状況下に於いて、上部カバー５を複合ユニット４よりやや上方にセットし被固定面に沿って移動させると、図１６（ｂ）に示すように前記係合用突起部５ａは上記中空枠４ｂ内に収容され該複合ユニット４と該下部カバー６上に掛け止めすることが出来る。【００６９】  そして上記上部カバーは、複合ケーブル２の係合と各種コンセントへの接続を妨げない奥行を持ち、下部カバーは該上部カバー内より僅かに低く、また上記したように複合ユニット４と下部カバーの横幅は同じに成型され上部カバー５の内面幅はそれより僅かに大きいので、図１７に示すように該上部カバー５は下部カバー６を包み込むようにセットされ、複合ユニット４に用意された支柱ネジ４ｃに固定用ネジ５ｆによって固定される。【００７０】  図１に示すように、デスク及びキャビネット等が並列的にのみ配置された場合、上記複合ケーブル２が床上に敷設されると人や物によって衝撃を受ける虞や、美観を損ねることもあるので、図９（ａ），（ｂ）に示すマグネットを取帯したケーブル固定具７よって該複合ケーブル２を固定して敷設することが望ましい。このケーブル固定具７は図１０（ａ），（ｂ）が示すように、前記複合ケーブル２の敷設数が単数であっても複数でもケーブル係合部７ｂによって固定することが出来るように成形されているので同一ライン上に固定することも可能である。また余長がある場合には結束バンド２５等によって束ねる必要が有るが、該複合ケーブル２は横に広い平行型であるので容易に束ねることが出来る。【００７１】  さらに説明するが、さきに説明した複合ユニット４内のハブＧは、既設や指定されたハブを用いても良いし、図８に示す配列でなくても良い。図１８（ａ）に示すように、サイズや形状等の理由で該複合ユニット４内に収容出来ない場合には、複合ケーブル２が係合されない側の外部側面に該ハブＧ１を添うように配置すれば良い。そして前記複合ケーブル２のＬＡＮ用ケーブル２ｃをケーブルサドル２６に収容通過させ該ハブＧ１に接続するが、図１６（ａ）に示すように上部カバー５には両側面にケーブル導入口５ｄが形成されているので、前記ＬＡＮ用ケーブル２ｃの複合ユニット４内通過を妨げることはないし、図１８（ｂ）が示すように、ＬＡＮ用ケーブル２ｃが大きく露出することも無く前記上部カバーを取り付けることが出来る。またハブの増設が必要な場合は上記と同様に外部側面に取り付ければよい【００７２】  以上の説明以外に電話機がＩＰ電話機の場合もあるが、この場合には実施例１にて説明したように複合ケーブル２の通信用ケーブルは２本ともＬＡＮ用ケーブルを用いているので、複合ボックス１の電話用ジャック１ｋをＬＡＮ用ジャックに、複合ケーブルの電話用プラグ２ｍをＬＡＮ用プラグに、そして複合ユニット内の電話用集合端子Ｈをハブに変更するという容易な工程にて対応することが出来る。【００７３】  また該複合ユニット４は、先に説明したように複合機等へも電源と通信回線の供給を行うこともある。しかし複合機は消費電力が多く別回路の電源供給が必要とされる場合が多い。この対応策として該複合ユニット４には電源用コンセントＬの下側に図１２に示す増設コンセントの取付け用孔４ｇが用意されており、別回路の電源を用意すればコンセントを容易に増設することが出来るので、上記の複合ケーブル２による複合機への専用回路の電源供給と通信回線の供給を行うことも出来る。【００７４】  次に複合ユニット４に上部カバー５のみを用いた例を説明するが、上記例と異なる部分についてのみ記載し、重なる部分は説明の都合上必要な場合を除いて説明しない。【００７５】  オフィス内に集合的に配置されたデスクが少数で電源コンセントＬを２つ用意する必要がない場合には、図２０に示すように、上記複合ユニットの下部側を切断して複合ユニットを小型化することも可能である。この形状の場合には上記したような幹線ケーブルの余長を収容するスペースは少なくなるが前記幹線ケーブルも小数となるので前記電源コンセントＬ下方に収容することが出来る。そして図２１に示すように、デスクやキャビネットの側面等に固定すればよい。この形状の複合ユニットの制作はケーブル固定具７用の取付用孔を予め準備しておけば下部側の切断工程のみで対応出来るので経費が少なくて済むし、ハブも小型のもので良いし、下部カバーの必要も無いので安価にて提供することが可能になる。【００７６】  図には示さないが、複合ユニット４には上記したようにハブＧまたはＧ１と、電話用集合端子Ｈ、電源コンセントＬ、及びケーブルの導入口が用意されているので、情報機器等への接続は必ずしも複合ケーブル２を用いなくても良い。例えば情報機器が遠く離れて配置されている場合のＬＡＮケーブルや電話用ケーブル或いは電源ケーブル等単独に配線されたケーブルの収容も可能である。【００７７】  従ってこの実施例２の情報機器用配線システムは、図１に示すように、実施例１に加え最端のデスクまたはキャビネットの側面等の工事や保守管理を容易にする場所に上記複合ユニット４を配置し、上記複合ケーブル２を収容することによって電源と通信回線の供給元を一元化することが出来る。よって設置工事や保守管理を極めて容易に短時間で行うことが出来るし、移設や増設等の工事においても短時間で少ない工事者によって容易に行うことが出来るので、材料費や工事費等の削減を図ることも可能である。
【図面の簡単な説明】
【００７８】
【図１】は実施例２によって配置された複合ボックスと複合ユニットと敷設された複合ケーブルの状態を示す斜視図。
【図２】（ａ）、（ｂ）は複合ボックスの斜視図、（ｃ）は複合ボックスの底面図。
【図３】（ａ）は複合ケーブルの断面図、（ｂ）、は実施例１の複合ケーブルを可とう性を高める為に保護部を部分的に削除した状態の平面図、（ｃ）はそのケーブルをケーブルカバー内に収容した状態の平面図。
【図４】（ａ）は固定具の斜視図、（ｂ）は実施例１の複合ケーブルを固定具に収容した状態の断面図、（ｃ）はその状態の斜視図。
【図５】は実施例１の複合ボックスに複合ケーブルを係合した状態の斜視図。
【図６】（ａ）は実施例１の複合ボックスに複合ケーブルを係合した状態の正面図、（ｂ）は（ａ）のｂ−ｂ線断面図、（ｃ）は実施例１の通線口のないデスク上に複合ボックスをセットした状態の断面図、（ｄ）は通線口のあるデスクに複合ボックスをセットした状態の断面図。
【図７】は実施例１の複合ボックスと複合ケーブルを取付けた状態の斜視図。
【図８】（ａ）は実施例２の複合ユニットの斜視図，（ｂ）はその背面の斜視図、（ｃ）は実施例２の複合ユニットの上部側の斜視図。
【図９】（ａ）は実施例２のケーブル固定具の斜視図、（ｂ）はその底面図。
【図１０】（ａ）、（ｂ）、（ｃ）は実施例２のケーブルを係合した状態の斜視図。
【図１１】（ａ）は実施例２の複合ケーブルのプラグ側に固定具を取り付けた状態の斜視図、（ｂ）、（ｃ）は実施例２のその固定具を複合ボックス内の固定具連結用軸への取り付け前後の状態を示す斜視図。
【図１２】は実施例２の複合ケーブルを複合ユニットに係合した状態を示す斜視図。
【図１３】は実施例２の複合ユニットの下部側に収容した幹線ケーブルの状態を示す斜視図。
【図１４】は実施例２の複合ユニット用の下部カバーの斜視図。
【図１５】は実施例２の複合ユニットに下部カバーを取り付けた状態の透し図。
【図１６】（ａ）は実施例２の複合ユニットの上部カバーの斜視図、（ｂ）は実施例２の固定した複合ユニットに上部カバーと下部カバーを取り付けた状態の側面図。
【図１７】は実施例２の複合ユニットに上部カバーと下部カバーを取り付けた状態を示す斜視図。
【図１８】は実施例２のハブを複合ユニット外取り付け時の斜視図。
【図１９】は従来の個別配線方式にてオフィス内のデスク上の情報機器用に配線された電源ケーブルとＬＡＮケーブルと電話用ケーブルを示す斜視図。
【符号の説明】
【００７９】１      複合ボックス
１ｃ    下垂錘の装着部
１ｄ    固定具用の連結用軸
１ｆ    固定用マグネット
１ｇ    アース付コンセント
１ｈ    一般用コンセント
１ｊ    ＬＡＮ用ジャック
１ｋ    電話用ジャック
２      複合ケーブル
２ａ    複合ケーブル内の電源ケーブル
２ｂ    複合ケーブル内の電話用ケーブル
２ｃ    複合ケーブル内のＬＡＮ用ケーブル
２ｄ    絶縁被覆部
２ｇ    中空孔
２ｊ    複合ケーブル内の電源ケーブルのコンセント
２ｋ    複合ケーブル内のＬＡＮ用ケーブルのプラグ
２ｍ    複合ケーブル内の電話用ケーブルのプラグ
３      固定具
３ａ    ケーブル押さえ板
３ｂ    係止用突起部
３ｃ    保持用凹部
３ｄ    複合ケーブルの固定用ネジ用の孔
３ｅ    連結用軸の収容用のバネ部
３ｆ    連結用軸の収容部
４      複合ユニット
４ａ    下部カバー用支柱ネジ
４ｂ    上部カバーの係合用突起部の収容用の中空枠
４ｃ    上部カバー用支柱ネジ
４ｄ    固定具の連結用軸
４ｅ    軸固定部
４ｆ    枠部
４ｈ    固定用マグネット
４ｉ    固定用マグネット固定ネジ
５      上部カバー
５ａ    複合ユニットへの係合用突起部
５ｂ    複合ユニットへの固定用ネジ用孔
５ｄ    複合ケーブルの導入口
５ｆ    固定用ネジ
６      下部カバー
６ａ    複合ユニットへの固定ネジ用孔
６ｂ    固定用ネジ
７      ケーブル固定具
７ａ    ネジ固定用孔
７ｂ    ケーブル係合部
７ｃ    固定用マグネット
２１    電源プラグ
２２    電話用幹線ケーブル
２３    ＬＡＮケーブル
２４    電話用コード
２５    結束バンド
２６    ケーブルサドル
２７    電源用幹線ケーブル
２８    電源コード
Ａ      表示具兼ケーブル固定具
Ｂ      携帯電話用充電器
Ｇ      ネットワーク用ハブ
Ｈ      電話用集合端子
Ｊ      机
Ｋ      ケーブルカバー
Ｌ      電源用コンセント
【図１】
2010097916.tif 000003
【図２】
2010097916.tif 000004
【図３】
2010097916.tif 000005
【図４】
2010097916.tif 000006
【図５】
2010097916.tif 000007
【図６】
2010097916.tif 000008
2010097916.tif 000009
【図７】
2010097916.tif 000010
【図８】
2010097916.tif 000011
2010097916.tif 000012
【図９】
2010097916.tif 000013
【図１０】
2010097916.tif 000014
【図１１】
2010097916.tif 000015
【図１２】
2010097916.tif 000016
【図１３】
2010097916.tif 000017
【図１４】
2010097916.tif 000018
【図１５】
2010097916.tif 000019
【図１６】
2010097916.tif 000020
【図１７】
2010097916.tif 000021
【図１８】
2010097916.tif 000022
【図１９】
2010097916.tif 000023
【図２０】
2010097916.tif 000024
【図２１】
2010097916.tif 000025
【手続補正書】
【提出日】平成21年1月14日(2009.1.14)
【手続補正１】
【補正対象書類名】図面
【補正対象項目名】全図
【補正方法】変更
【補正の内容】
【図１】
2010097916.tif 000026
【図２】
2010097916.tif 000027
【図３】
2010097916.tif 000028
【図４】
2010097916.tif 000029
【図５】
2010097916.tif 000030
【図６】
2010097916.tif 000031
【図７】
2010097916.tif 000032
【図８】
2010097916.tif 000033
【図９】
2010097916.tif 000034
【図１０】
2010097916.tif 000035
【図１１】
2010097916.tif 000036
【図１２】
2010097916.tif 000037
【図１３】
2010097916.tif 000038
【図１４】
2010097916.tif 000039
【図１５】
2010097916.tif 000040
【図１６】
2010097916.tif 000041
【図１７】
2010097916.tif 000042
【図１８】
2010097916.tif 000043
【図１９】
2010097916.tif 000044